(57)【特許請求の範囲】
【請求項１】
蓄電池及び該蓄電池に接続される充電回路がケースに収納され、
上記蓄電池より導出された放電用電極及び上記充電回路より導出された充電用電極が、上記ケースに設けられ、
該ケースは、上記蓄電池が収納される第１のケース及び上記充電回路が収納される第２のケースからなり、上記第１及び第２のケースを機械的に合体すると共に、互いに電気的に接続される第１及び第２の接続子が、上記第１及び第２のケースにそれぞれ設けられ、
上記第１の接続子には、上記蓄電池の電極が接続され、
上記第２の接続子に接続された放電用電極及び上記充電回路より導出された充電用電極が、上記第２のケースに設けられてなることを特徴とするバッテリーパック装置。
【発明の詳細な説明】
【０００１】
【産業上の利用分野】
本発明は、蓄電池（２次電池）及びその蓄電池に接続される充電回路備えたバッテリーパック装置に関する。
【０００２】
【従来の技術】
従来、蓄電池をその安全性を保つための保護素子と共にケース内に収納し、そのケースに蓄電池（例えば、ニッケルカドミウム蓄電池、ニッケル水素蓄電池）から導出された電極を設けたバッテリーパックがある。
【０００３】
又、従来、蓄電池（例えば、鉛蓄電池）と充電器を一体化したバッテリーパックもある。
【０００４】
この充電器は１００Ｖ又は２００Ｖの商用交流電圧を、充電すべき蓄電池の電圧まで降圧するトランス及びその降圧された交流電圧を整流して直流電圧に変換する整流回路からなる１次回路と、その直流電圧を充電すべき蓄電池に特性及び端子電圧に応じて最適な充電電流に変換する充電回路からなる２次回路と、蓄電池に接続する端子部分とから構成される。
【０００５】
更に、従来、バッテリーパックと充電回路が電子機器（ポータブル型のワードプロセッサ、パーソナルコンピュータ等）に内蔵されたものもあり、その充電回路にＡＣアダプタを接続して充電を行うようになされている。
【０００６】
このＡＣアダプタは１００Ｖ又は２００Ｖの商用交流電圧を、充電すべき蓄電池の電圧まで降圧するトランス及びその降圧された交流電圧を整流して直流電圧に変換する整流回路から構成される。
【０００７】
【発明が解決しようとする課題】
従来の蓄電池をその安全性を保つための保護素子と共にケース内に収納し、そのケースに蓄電池から導出された電極を設けたバッテリーパックに対しては、その蓄電池の特性や安全性を考慮した専用の充電器が必要である。
【０００８】
従来の蓄電池と充電器を一体化したバッテリーパックは、充電器の重量及び体積の大部分を占めるため、重くしかも大型となるが、蓄電池の容量は小さい。
【０００９】
従来のバッテリーパックと充電回路が電子機器に内蔵されたものは、バッテリーパックを外部に容易に取り出せないものや、容易に取り出せるものがあるが、いずれにしても充電回路を外部に取り出すことができないので、そのバッテリーパックが電子機器から容易に取り出し得るものであっても、電子機器と無関係にそのバッテリーパックの蓄電池に充電を行うことはできない。
【００１０】
かかる点に鑑み、本発明は、充電する蓄電池に対する専用の充電器を使用せずに、ＡＣアダプタを充電器として使用して、蓄電池に容易に充電することができ、しかも小型軽量なバッテリーパック装置を提案しようとするものである。
【００１１】
更に、本発明は、充電する蓄電池に対する専用の充電器を使用せずに、ＡＣアダプタを充電器として使用して、蓄電池に容易に充電することができると共に、放電時には一層軽量且つ小型となし得、電子機器に合体して使用するのに好適なバッテリーパック装置を提案しようとするものである。
【００１２】
【課題を解決するための手段】
本発明は、蓄電池及び該蓄電池に接続される充電回路がケースに収納され、蓄電池より導出された放電用電極及び充電回路より導出された充電用電極が、ケースに設けられ、このケースは、蓄電池が収納される第１のケース及び充電回路が収納される第２のケースからなり、第１及び第２のケースを機械的に合体すると共に、互いに電気的に接続される第１及び第２の接続子が、第１及び第２のケースにそれぞれ設けられ、第１の接続子には、蓄電池の電極が接続され、第２の接続子に接続された放電用電極及び充電回路より導出された充電用電極が、第２のケースに設けられてなるものである。
【００１６】
【作用】
第１の本発明によれば、放電用電極９、１０を、使用する電子機器の電源電圧入力端子に接続して放電を行い、充電用電極５、７にＡＣアダプタの直流電圧出力端子を接続して充電を行う。
【００１７】
【実施例】
以下に、図１を参照して、本発明の実施例（１）を説明する。ＢＰはバッテリーパック（装置）を全体として示す。共通のケース３内に、２本の棒状の単一蓄電池（ここではリチウムイオン蓄電池）１、２が互いに逆方向となるように並べられて収納されると共に、充電回路（２次回路）としてのスイッチングレギュレータ５が収納される。
【００１８】
蓄電池１の負極１Ｍと蓄電池２の正極２Ｐとが、連結導体板４を介して接続される。蓄電池１の正極１Ｐがスイッチングレギュレータ５の充電電圧出力端子５Ｏ及びケース３の外部に設けられた放電用電極９に接続される。蓄電池２の負極２Ｍがスイッチングレギュレータ５の共通端子５Ｃ及びケース３の外部に設けられた放電用負極１０に接続される。
【００１９】
８はピンジャックで、充電用正極６及び充電用負極７を備えている。充電用正極６はスイッチングレギュレータ５の電圧入力端子５Ｉに接続され、充電用負極７は放電用電極１０と共に、スイッチングレギュレータ５の共通端子５Ｃに接続されている。このピンジャック８は、後述するＡＣアダプタ１３のピンプラグ１１と互いに電気的に接続され得るようになされている。
【００２０】
１３はＡＣアダプタで、降圧トランス及びその降圧された電圧を整流及び平滑する整流・平滑回路（一次回路）を内蔵し、商用電源のコンセント（アウトレット）１５に接続されるプラグ１４（これに降圧トランスの一次コイルが接続される）と、コード１２によって延長されたピンプラグ１１（これに整流・平滑回路の出力端子が接続される）とを備えている。
【００２１】
そして、蓄電池１、２に充電を行うときは、ＡＣアダプタ１３のプラグ１４がコンセント１５に接続されると共に、そのピンプラグ１１がバッテリーパックＢＰのピンジャック８に挿入される。ＡＣアダプタ１３からの直流電圧は、コード１２、ピンプラグ１１及びピンジャック８を通じてスイッチングレギュレータ５の電圧入力端子５Ｉ及ぶ共通端子５Ｃ間に印加され、そのスイッチングレギュレータ５の充電電圧出力端子５Ｏ及び共通端子５Ｃ間から得られた、蓄電池１、２に対し最適で安定な電圧（蓄電池１、２がリチウムイオン蓄電池である場合は、８．４Ｖ）が蓄電池１、２の直列回路に印加される。
【００２２】
以下に、図２を参照して、本発明の実施例（２）を説明する。ＢＰはバッテリーパック（装置）を全体として示す。ニッケルカドミウム蓄電池のバッテリーパックのケース３内に、スイッチングレギュレータ（二次回路）５を収納すると共に、その上に載置される如く、２本の棒状の単一蓄電池（リチウムイオン蓄電池）１、２を互いに逆方向に並ぶ如く収納する。図示せざるも、ケース３の底部に共通の充放電用正極及び負極を設け、放電時と充電時とで、蓄電池１、２の一方の正極及びスイッチングレギュレータ５の電圧入力端子を、ケース３の底部の端部に設けた切換えスイッチング２３で切り換えて、充放電用正極に接続するようにしている。充放電用負極は、放電時及び充電時共、蓄電池１、２の他方の負極及びスイッチングレギュレータ５の共通端子に接続されいる。
【００２３】
１３は、ニッケルカドミウム蓄電池のバッテリーパック用のＡＣアダプタ（充電器）で、降圧トランス及びその降圧された電圧を整流及び平滑する整流・平滑回路（一次回路）を内蔵し、商用電源のコンセント（アウトレット）に接続される、コード２３を備えたプラグ２２（これに降圧トランスの一次コイルが接続される）を備えている。
【００２４】
バッテリーパックＢＰの装填される凹部２０の底部に、バッテリーパックＢＰのケース３の底部に設けられた充放電用電極（正極及び負極）に接続される充電端子２１と、バッテリーパックＢＰのケース３に設けられた充放電切換えスイッチ２３（通常は放電側に切換えられている）と衝合することによって、これを充電側に切換えるピン２３が設けられている。
【００２５】
そして、蓄電池１、２に充電するときは、ＡＣアダプタ１３のプラグ２２を商用電源のコンセント（アウトレット）に接続した後、ＡＣアダプタ１３の凹部２０内にバッテリーパックＢＰを装填する。かくすると、ＡＣアダプタ１３のピン２３によって、充放電切換スイッチが充電側に切換えられる。ＡＣアダプタ１３からの直流電圧は、充電端子２１を通じて、スイッチングレギュレータ５に印加され、そのスイッチングレギュレータ５から得られた、蓄電池１、２に対し略最適で安定な電圧（１０Ｖ）が蓄電池１、２の直列回路に印加される。
【００２６】
この実施例（２）によれば、ニッケルカドミウム蓄電池に使用される充電器を使用して、リチウムイオン蓄電池のバッテリーパックに容易に充電することができる。
【００２７】
次に、図３を参照して、本発明の実施例（３）を説明する。この実施例（３）は、図１の実施例（１）におけるケース３を、蓄電池用のケース３Ａと、スイッチングレギュレータ用のケース３Ｂに分離して、着脱自在のバッテリーパックＢＰ及びレギュレータパックＲＰを構成するようにした場合である。放電用電極９、１０及び充電用電極６、７はスイッチングレギュレータ５の収納されるケース３Ｂの外側に設けられる。ケース３Ａ及び３Ｂの対向する部分に、ケース３Ａ、３Ｂを機械的に一体化すると共に、ケース３Ｂ内のスイッチングレギュレータ５及びその外側に設けられた放電用電極９、１０と、ケース３Ａ内の蓄電池１、２との間の電気的接続を図るために、ケース３Ａ側にジャックＪ１、Ｊ２を設け、ケース３Ｂ側にピンＰ１、Ｐ２を設ける。
【００２８】
ケース３Ａ内において、蓄電池１の負極１Ｍと蓄電池２の正極２Ｐとが、連結導体板４を介して接続される。蓄電池１の正極１ＰがジャックＪ１に接続され、蓄電池２の負極２ＭがジャックＪ２に接続される。
【００２９】
ケース３Ｂ内において、ピンＰ１がスイッチングレギュレータ５の充電電圧出力端子５Ｏ及び放電用電極９に接続される。ピンＰ２がスイッチングレギュレータ５の共通端子５Ｃ及び放電用負極１０に接続される。
【００３０】
ピンジャック８の充電用正極６がスイッチングレギュレータ５の電圧入力端子５Ｉに接続され、充電用負極７は放電用電極１０と共に、スイッチングレギュレータ５の共通端子５Ｃに接続されている。
【００３１】
そして、充電を行うときは、バッテリーパックＢＰ及びレギュレータパックＲＰを、ピンＰ１、Ｐ２及びジャックＪ１、Ｊ２の結合によって、機械的に一体化すると共に電気的接続を行う。かくして、ＡＣアダプタ１３のプラグ１４がコンセント１５に接続されると共に、そのピンプラグ１１がバッテリーパックＢＰのピンジャック８に挿入される。ＡＣアダプタ１３からの直流電圧は、コード１２、ピンプラグ１１及びピンジャック８を通じてスイッチングレギュレータ５の電圧入力端子５Ｉ及び共通端子５Ｃ間に印加され、そのスイッチングレギュレータ５の充電電圧出力端子５Ｏ及び共通端子５Ｃ間から得られた蓄電池１、２に対し最適で安定な電圧（蓄電池１、２がリチウムイオン電池である場合は、８．４Ｖ）が蓄電池１、２の直列回路に印加される。
【００３２】
図４（Ａ）は、かかるバッテリーパックＢＰ及びレギュレータパックＲＰを、ステレオヘッドホン型テープレコーダＴＲに合体した状態で、ＡＣアダプタ１３を用いて充電している状態を示す。バッテリーパックＢＰの放電時には、図４（Ｂ）に示す如く、レギュレータパックＲＰをバッテリーパックＢＰから脱却し、バッテリーパックＢＰのみをテープレコーダＴＲに合体して使用する。
【００３３】
実施例の第１のバッテリーパック装置によれば、蓄電池１、２及びその蓄電池１、２に接続される充電回路５がケース３に収納され、蓄電池１、２より導出された放電用電極９、１０及び充電回路５より導出された充電用電極６、７が、ケース３に設けられてなるので、充電する蓄電池に対する専用の充電器を使用せずに、ＡＣアダプタを充電器として使用して、蓄電池に容易に充電することができ、しかも軽量、小型なバッテリーパック装置を得ることができる。
【００３４】
実施例の第２のバッテリーパック装置によれば、実施例の第１のバッテリーパック装置において、ケース３は共通ケースであるので、実施例の第１のバッテリーパック装置と同様の効果が得られる。
【００３５】
実施例の第３のバッテリーパック装置によれば、実施例の第１のバッテリーパック装置において、ケース３は、蓄電池１、２が収納される第１のケース３Ａ及び充電回路５が収納される第２のケース３Ｂからなり、第１及び第２のケース３Ａ、３Ｂを機械的に合体すると共に、互いに電気的に接続される第１及び第２の接続子Ｊ１、Ｊ２；Ｐ１、Ｐ２が、第１及び第２のケース３Ａ、３Ｂにそれぞれ設けられ、第１の接続子Ｊ１、Ｊ２には、蓄電池１、２の電極１Ｐ、２Ｍが接続され、第２の接続子Ｐ１、Ｐ２に接続された放電用電極９、１０及び充電回路５より導出された充電用電極６、７が、第２のケース３Ｂに設けられてなるので、放電時には一層軽量且つ小型となし得、電子機器に合体して使用するのに好適なバッテリーパック装置を得ることができる。
【００３６】
実施例の第４のバッテリーパック装置によれば、実施例の第１、第２又は第３のバッテリーパック装置において、充電用電極６、７は、降圧トランス及び整流回路を備えたＡＣアダプタ１３の直流電圧出力用接続子１１と互いに電気的に接続される接続子であるので、実施例の第１、第２又は第３のバッテリーパック装置と同様の効果が得られる。
【００３７】
【発明の効果】
本発明によれば、蓄電池及び該蓄電池に接続される充電回路がケースに収納され、蓄電池より導出された放電用電極及び充電回路より導出された充電用電極が、ケースに設けられ、このケースは、蓄電池が収納される第１のケース及び充電回路が収納される第２のケースからなり、第１及び第２のケースを機械的に合体すると共に、互いに電気的に接続される第１及び第２の接続子が、第１及び第２のケースにそれぞれ設けられ、第１の接続子には、蓄電池の電極が接続され、第２の接続子に接続された放電用電極及び充電回路より導出された充電用電極が、第２のケースに設けられてなるものであるので、充電する電池に対する専用の充電器を使用せずに、ＡＣアダプタを充電器として使用して、蓄電池に容易に充電することができると共に、放電時には一層軽量かつ小型となし得、電子機器に合体して使用するのに好適なバッテリーパック装置を得ることができる。
【図面の簡単な説明】
【図１】本発明の実施例（１）を示す配置図
【図２】本発明の実施例（２）の示す斜視図
【図３】本発明の実施例（３）を示す配置図
【図４】実施例（３）の使用状態を示す平面図
【符号の説明】
１  単一蓄電池
２  単一蓄電池
３  ケース
３Ａ  ケース
３Ｂ  ケース
５  スイッチングレギュレータ
６  充電用正極
７  充電用負極
８  ピンジャック
９  放電用正極
１０  放電用負極
１１  ピンプラグ
１３  ＡＣアダプタ
Ｊ１  ジャック
Ｊ２  ジャック
Ｐ１  ピン
Ｐ２  ピン
【図１】
0003561944.tif 000002
【図２】
0003561944.tif 000003
【図３】
0003561944.tif 000004
【図４】
0003561944.tif 000005